(57)【要約】      （修正有）【課題】テープの径の変動に良好に対応することができ、テープの巻径が変動しても、常に良好な保持力を維持することができるテープ保持構造を提供する。【解決手段】テープ保持構造は、テンションローラ１３０と支持ローラ１２０、１２２を有し、テンションローラは、テープロール１１０の内周面に当接して押し付けられる。一方、テープロールの外周面は、支持ローラに当接し、テープロールは、外周面の支持ローラと、内周面のテンションローラとに挟まれて保持される。テープロールの先端は、支持ローラ１２０との当接部位から引き出され、送りローラ２００を介してカット刃３００に送られ、適宜の長さにカットされる。テープが消耗してテープロールの巻径（外径）が減少しても、テンションローラがばね１３６によって支持ローラの方向に付勢されているため、テープロールは良好に保持される。【選択図】図２
0003223493.tif 000002
【実用新案登録請求の範囲】
【請求項１】
巻径が変動するテープロールを回転可能に保持するテープ保持構造であって、
前記テープロールの外側であって、その外周面に当接する複数の支持ローラ，
前記テープロールの内側であって、その内周面に向かってスライド可能に設けられているテンションローラ，
該テンションローラを、前記スライド可能な方向に付勢するばね，
を備えており、
前記支持ローラと前記テンションローラとで前記テープロールを挟んで保持することを特徴とするテープ保持構造。
【請求項２】
前記複数の支持ローラのうちのいずれかを、前記テープロールからのテープの引き出しを行う引出ロールと兼用としたこと特徴とする請求項１記載のテープ保持構造。
【請求項３】
前記ばねを、前記テープロールの外側に設けたことを特徴とする請求項１又は２記載のテープ保持構造。
【請求項４】
前記テンションローラのスライド方向と、前記ばねによる付勢方向と、前記テープロールからのテープの引出方向とが、いずれも前記支持ローラの間を通ることを特徴とする請求項１〜３のいずれか一項に記載のテープ保持構造。
【請求項５】
請求項１〜４のいずれか一項に記載のテープ保持構造と、このテープ保持構造によって保持されたテープロールから引き出されたテープを送る少なくとも一つの送りローラと、この送りローラから送られたテープを切断するカット刃とが、１対の側板の間に設けられていることを特徴とするテープカッター。
【考案の詳細な説明】
【技術分野】
【０００１】
本考案は、テープカッターやバックシーラーなどにおけるテープ保持構造の改良に関する。
【背景技術】
【０００２】
従来のテープ保持構造としては、例えば、下記特許文献１記載の「粘着テープカッター」に搭載されたテープ保持構造がある。これによれば、粘着テープは、テープリールが回転可能に支持された巻解き支持手段から巻解かれ、ガイドローラー，癖付ローラーなどを介してカット手段に送られるようになっている。巻解き支持手段は、２個の支持ローラーと、テープリールの下部の支持レバーによって構成されている。支持レバーを支持スプリングのバネ力により常に粘着テープ側に押しつけることで、本体ベースからのテープリールの飛び出しが防止されるようになっている。
【先行技術文献】
【特許文献】
【０００３】
【特許文献１】特開2003-206067公報
【考案の概要】
【考案が解決しようとする課題】
【０００４】
ところで、上述した背景技術では、テープの外周側に設けた２つの支持ローラーに、支持レバーによってテープをバネ付勢した構成となっているが、テープの外径の変化に対して良好に対応することができない。また、支持レバーによる付勢力が弱く、テープが巻解き支持手段から外れてしまう恐れもある。
【０００５】
本考案は、以上の点に着目したもので、テープの径の変動に良好に対応することができ、テープの巻径が変動しても、常に良好な保持力を維持することができるテープ保持構造を提供することを、その目的とする。
【課題を解決するための手段】
【０００６】
本考案のテープ保持構造は、巻径が変動するテープロールを回転可能に保持するテープ保持構造であって、前記テープロールの外側であって、その外周面に当接する複数の支持ローラ，前記テープロールの内側であって、その内周面に向かってスライド可能に設けられているテンションローラ，該テンションローラを、前記スライド可能な方向に付勢するばね，を備えており、前記支持ローラと前記テンションローラとで前記テープロールを挟んで保持することを特徴とする。
【０００７】
主要な形態の一つによれば、前記複数の支持ローラのうちのいずれかを、前記テープロールからのテープの引き出しを行う引出ロールと兼用としたこと特徴とする。他の形態によれば、前記ばねを、前記テープロールの外側に設けたことを特徴とする。更に他の形態によれば、前記テンションローラのスライド方向と、前記ばねによる付勢方向と、前記テープロールからのテープの引出方向とが、いずれも前記支持ローラの間を通ることを特徴とする。
【０００８】
本考案のテープカッターは、前記いずれかのテープ保持構造と、このテープ保持構造によって保持されたテープロールから引き出されたテープを送る少なくとも一つの送りローラと、この送りローラから送られたテープを切断するカット刃とが、１対の側板の間に設けられていることを特徴とする。本考案の前記及び他の目的，特徴，利点は、以下の詳細な説明及び添付図面から明瞭になろう。
【考案の効果】
【０００９】
本考案によれば、テープロールの外側に複数の支持ローラを設けるとともに、テープロールの内側にテンションローラを設け、ばねによって前記テンションローラを前記テープロールの内側に押し付けることとしたので、テープロールの巻径が変動しても、常に良好な保持力を維持することができ、テープカッターなどに好適である。
【図面の簡単な説明】
【００１０】
【図１】本考案のテープ保持構造の一実施例を示す斜視図である。
【図２】前記図１の＃Ａ−＃Ａ線に沿って矢印方向に見た主要断面図である。(A)はテープの巻径が大きい場合を示し、(B)は巻径が小さい場合を示す。
【考案を実施するための形態】
【００１１】
以下、本考案を実施するための最良の形態を、実施例に基づいて詳細に説明する。
【実施例１】
【００１２】
図１には本実施例に係るテープ保持構造を備えたテープカッターが示されている。同図において、テープ保持構造１００にはテープロール１１０が保持されている。テープロール１１０から引き出されたテープは、送りローラ２００を介してカット刃３００に送られ、ここで適宜の長さにカットされるようになっている。これらテープ保持構造１００，テープロール１１０，送りローラ２００，カット刃３００は、１対の側板４００，４０２に挟まれており、側板４００，４０２の下側は、Ｌ字状に折り曲げられて、脚４１０，４１２となっている。これら脚４１０，４１２には、その端部にゴム足４２０がそれぞれ取り付けられている。
【００１３】
上述したテープ保持構造１００は、テープロール１１０の外側に配置された２つの支持ローラ１２０，１２２と、テープロール１１０の内側に配置されたテンションローラ１３０とを備えている。テンションローラ１３０には、テープロール１１０の内側から外側に向かう方向に長円形状の引出片１３２が設けられており、引出片１３２は、前記支持ローラ１２０，１２２の間に露出している。そして、この引出片１３２の先端１３３と、前記側板４００に設けた固定ピン１３４との間に、ばね１３６が掛けられている。
【００１４】
次に、前記側板４００には、前記ばね１３６によるテンション方向に、ガイド穴ないし長穴１４０が設けられており、このガイド穴１４０に沿って、前記テンションローラ１３０が移動可能となっている。なお、テンションローラ１３０とガイド穴１４０との接触部位には、必要に応じて移動を滑らかにするローラ（図示せず）を設けてよい。テンションローラ１３０は、ガイド穴１４０から抜けないように、側板４００の外側で座金ないし拡径部により係止されている。
【００１５】
前記ガイド穴１４０の長手方向は、支持ローラ１２０，１２２の間を通っており、ばね１３６の引っ張る方向と一致している。すなわち、前記ガイド穴１４０に沿って移動する方向に、前記ばね１３６で、前記テンションローラ１３０にテンションを付与している。このようにテンションをかけることで、テープロール１１０の外周面が支持ローラ１２０，１２２に当接して支持されるようになっている。
【００１６】
上述した支持ローラ１２０，１２２及び送りローラ２００は、両端が拡径されており、テープ１１０が中央部分と当たるようになっている。これにより、テープロール１１０と側板４００，４０２との間に隙間が形成されるようになり、テープロール１１０の回転やテープ引出しが円滑に行われるようになっている。テンションローラ１３０についても、同様の構成としてよい。
【００１７】
次に、図２も参照しながら、上記実施例の動作を説明する。同図(A)はテープロール１１０が比較的大きな巻径の場合であり、同図(B)はテープロール１１０が比較的小さな巻径の場合である。テープロール１１０を、テープ保持構造１００に取り付けるときは、テンションローラ１３０を、ばね１３６によるテンションに抗して、テープロール１１０の中心方向に、ガイド穴１４０に沿って移動する。これにより、支持ローラ１２０，１２２とテンションローラ１３０との間に隙間を設けて、テープロール１１０を入れる。そして、テンションローラ１３０を放すと、ばね１３６の作用により、テンションローラ１３０がガイド穴１４０に沿って移動する。そして、テンションローラ１３０は、テープロール１１０の内周面に当接して押し付けられる。一方、テープロール１１０の外周面は、支持ローラ１２０，１２２に当接する。これにより、テープロール１１０は、外周面の支持ローラ１２０，１２２と、内周面のテンションローラ１３０とに挟まれて保持されるようになる。
【００１８】
テープロール１１０の先端は、支持ローラ１２０との当接部位から引き出され、送りローラ２００を介してカット刃３００に送られ、ここで適宜の長さにカットされる。すなわち、本実施例では、テンションローラ１３０のスライド方向と、前記ばね１３６による付勢方向と、前記テープロール１１０からのテープの引出方向とが、いずれも前記支持ローラ１２０，１２２の間を通る。このため、テープの引出によっても、テンションローラ１３０が支持ローラ１２０，１２２の方向に押し付けられる。これにより、テープが消耗してテープロール１１０の巻径（外径）が減少しても、テンションローラ１３０がばね１３６によって支持ローラ１２０，１２２の方向に付勢されているため、テープロール１１０は良好に保持される。
【００１９】
＜他の実施例＞……本考案には数多くの実施例があり、以上の開示に基づいて多様に改変することが可能である。例えば、次のようなものも含まれる。
(1)前記実施例では、テープ１１０の先端の引き出しを、支持ローラ１２０から行ったが、適宜の部位から引き出してよい。引出用ローラを別途設けるようにしてもよい。
(2)前記実施例では、図２における左側にカット刃３００を設け、カット刃３００と反対側の位置にテープロール１１０を配置するようにしたが、必要に応じて適宜の位置としてよい。しかし、テープロール１１０の巻径が変動することから、そのような変動があっても取り付けられるような位置が好ましく、上述した実施例は、そのような条件を満たす好適な配置の例である。
(3)前記実施例では、支持ローラ１２０，１２２を２つ設けたが、更に多数設けるようにしてもよい。送りローラ２００についても同様である。
(4)前記実施例では、テンションローラ１３０を付勢するばね１３６を、テープロール１１０の外側に配置したが、テープロール１１０の内側に配置して、テンションローラ１３０をテープロール１１０の内周面に押し付けるように付勢するようにしてもよい。
(5)前記実施例は、本考案のテープ保持構造１００を、テープカッターに適用した例であるが、特開2005-15112号に開示されている結束用のテープカッター（バックシーラー）など、各種のものに適用してよい。
【産業上の利用可能性】
【００２０】
本考案によれば、テープロールの外側に複数の支持ローラを設けるとともに、テープロールの内側にテンションローラを設け、ばねによって前記テンションローラを前記テープロールの内側に押し付けることとしたので、テープロールの巻径が変動しても、常に良好な保持力を維持することができ、テープカッターなどに好適である。
【符号の説明】
【００２１】
１００：テープ保持構造
１１０：テープロール
１２０，１２２：支持ローラ
１３０：テンションローラ
１３２：引出片
１３３：先端
１３４：固定ピン
１３６：ばね
１４０：ガイド穴
２００：送りローラ
３００：カット刃
４００，４０２：側板
４１０，４１２：脚
４２０：ゴム足
【図１】
0003223493.tif 000003
【図２】
0003223493.tif 000004